(57)【要約】      （修正有）【課題】ペンダントを兼ねるための機構を有しない通常に用いられる結婚指輪等を吊り下げ具にて着脱、交換してペンダントとして装着可能とし、更に吊り下げ具単体でも使用できる汎用性を持ち合わせた吊り下げ具を提供する。【解決手段】装飾体を下げ飾ることができる吊り下げ具は、基部１と開閉部３とからなり、対向する基部と開閉部の下端に設けた蝶番５にて開閉部を開閉自在とするとともに当該基部及び開閉部上端に設けた挿通環７を、閉じた状態時に直列し、且つ、双方の挿通環の貫通方向が開閉部の開閉方向に並行する方向に設け、当該挿通環に鎖又は紐状体を貫通させて結合状態とする。【選択図】図２
0003112757.tif 000002
【実用新案登録請求の範囲】
【請求項１】
装飾体を下げ飾ることができる吊り下げ具は、基部と開閉部とからなり、対向する基部と開閉部の下端に設けた蝶番にて開閉部を開閉自在とするとともに当該基部及び開閉部上端に設けた挿通環を、閉じた状態時に直列し、且つ、双方の挿通環の貫通方向が開閉部の開閉方向に並行する方向に設け、当該挿通環に鎖又は紐状体を貫通させて結合状態とすることを特徴とする装身具用吊り下げ具。
【請求項２】
装飾体を下げ飾ることができる吊り下げ具は、基部と開閉部とからなり、基部と開閉部の一端に設けた蝶番にて開閉部を開閉自在とするとともに当該基部及び開閉部他端に設けた挿通環を、閉じた状態時に並列し、且つ、双方の挿通環の貫通方向が開閉部の開閉方向に直交する方向に設け、当該挿通環に鎖又は紐状体を貫通させて結合状態とすることを特徴とする装身具用吊り下げ具。
【考案の詳細な説明】
【技術分野】
【０００１】
本考案は、鎖又は紐状体を挿通して装飾体である指輪、ペンダントヘッド等を装着することができる吊り下げ具（バチカン）に関するものである。
【背景技術】
【０００２】
従来、ペンダント以外の装身具で指輪をネックレスに挿通して下げ飾りペンダントとして用いる方法が多数提案されている。その中で指輪リングを、外周外径方向に複数箇所厚くして、該厚くした部位の一箇所に、指輪リングの穴壁円周に対して接線方向にネックレスチェーンを挿通させる孔を貫通させてなるネックレス挿通孔付きの指輪がある。（例えば特許文献１参照。）。
【０００３】
また、ヘッド部にリング用の穴とチェーン用の穴を設け、必要に応じてリングまたはチェーンを穴に通して使用する。リングとして使用する場合は脱落防止のため留め金をヘッド部のリング用の内側にはめ込むペンダント・リング両用ヘッドがある（例えば特許文献２参照。）。
【０００４】
しかし、特許文献１の考案は、外周外径方向に複数箇所厚くして、該厚くした部位の一箇所にネックレスチェーンを挿通させる孔を設けたものであり、デザイン的にも制限があり、指輪単体では好みが大きく分かれるものである。
【０００５】
また、特許文献２の考案は、指輪のデザイン形状がヘッド付きリングに制限され、指輪単体では結婚指輪として用いることは難しく、また、好みが大きく分かれるものである。
【０００６】
【特許文献１】登録実用新案第３０９７２１６号公報
【特許文献２】登録実用新案第３０３５５９０号公報
【考案の開示】
【考案が解決しようとする課題】
【０００７】
前記事項を鑑み解決しようとする問題点は、ペンダントを兼ねるための機構を有しない通常に用いられる結婚指輪等を吊り下げ具にて着脱、交換してペンダントとして装着可能とし、更に吊り下げ具単体でも使用できる汎用性を持ち合わせた吊り下げ具の提供をしようとするものである。
【課題を解決するための手段】
【０００８】
上記課題を解決するために、請求項１に係る考案は、装飾体を下げ飾ることができる吊り下げ具は、基部と開閉部とからなり、対向する基部と開閉部の下端に設けた蝶番にて開閉部を開閉自在とするとともに当該基部及び開閉部上端に設けた挿通環を、閉じた状態時に直列し、且つ、双方の挿通環の貫通方向が開閉部の開閉方向に並行する方向に設け、当該挿通環に鎖又は紐状体を貫通させて結合状態とすることを要旨とするものである。
【０００９】
また、請求項２に係る考案は、装飾体を下げ飾ることができる吊り下げ具は、基部と開閉部とからなり、基部と開閉部の一端に設けた蝶番にて開閉部を開閉自在とするとともに当該基部及び開閉部他端に設けた挿通環を、閉じた状態時に並列し、且つ、双方の挿通環の貫通方向が開閉部の開閉方向に直交する方向に設け、当該挿通環に鎖又は紐状体を貫通させて結合状態とすることを要旨とするものである。
【考案の効果】
【００１０】
以上述べたように本考案の装身具用吊り下げ具は、シンプルな機構にて着脱、交換を可能とし、鎖又は紐状体を挿通環に通すことで結合状態となり、下げ飾った装身具は外れることなく使用できる。
【００１１】
また、下げ飾るための機構を有さない通常の結婚指輪等を用いることを可能とすることで、例えば妊娠時に指輪サイズが合わなくなってもペンダントとして常に身に着けられ、お互いの愛の結晶として装着できる。
【００１２】
また、通常のペンダントを下げ飾ることも可能であるとともに吊り下げ具単体でも装身具として美観を損なうことなく使用できる汎用性の高い装身具用吊り下げ具の提供が可能となった。
【考案を実施するための最良の形態】
【００１３】
以下、本考案の実施例を図面に基づいて詳細に説明する。図１は本考案の請求項１に係わる装身具用吊り下げ具１０の実施例を斜視にて図示し、該吊り下げ具１０は、基部１と、開閉部３と、蝶番５と、挿通環７と、７ａと、からにて構成した。
【００１４】
そして、対向する基部１と開閉部３の下端にに設けた蝶番５にて開閉部３を開閉自在とするとともに基部１及び開閉部３の上端に設けた挿通環７と、７ａを、閉じた状態時に直列となるように配置し、且つ、挿通環７と、７ａの貫通方向が開閉部３の開閉方向に並行する方向となるように設けた。
【００１５】
図２は、前記装身具用吊り下げ具１０の基部１と開閉部３を対向した状態から開閉部３を開いた状態を斜視にて図示したもので、開閉部３を開くことにより、基部１及び開閉部３の上端に設けた挿通環７と、７ａが直列状態より間隔を有する並列状態となり、装身具用吊り下げ具１０は開口した状態となる。
【００１６】
図３は、装身具用吊り下げ具１０に指輪３０を配置して紐状体９を挿通させた斜視を図示し、開口状態の前記装身具用吊り下げ具１０に指輪３０を配して、基部１と開閉部３を対向状態にして閉じた状態にすることにより、基部１及び開閉部３の上端に設けた挿通環７と、７ａは直列となり、紐状体９を挿通環７と、７ａに挿通させて指輪３０を下げ飾りペンダントとして用いることができる。
【００１７】
図４は、本考案の請求項２に係わる装身具用吊り下げ具２０の実施例を斜視で図示し、該吊り下げ具２０は、基部１２と、開閉部１４と、蝶番１６と、挿通環１８と、１８ａと、からにて構成した。
【００１８】
そして、基部１２と開閉部１４の一端に設けた蝶番１６にて開閉部１４を開閉自在とするとともに基部１２及び開閉部１４他端に設けた挿通環１８と、１８ａを閉じた状態時に並列となるように配置し、且つ、挿通環１８と、１８ａの貫通方向が開閉部１４の開閉方向に直交する方向に設けた。
【００１９】
図５は、前記装身具用吊り下げ具２０の開閉部１４を開いた状態を斜視にて図示したもので、開閉部１４を開くことにより、基部１２及び開閉部１４の他端に設けた挿通環１８と、１８ａが並列状態より間隔を有する直列状態となり、装身具用吊り下げ具２０は開口した状態となる。
【００２０】
図６は、装身具用吊り下げ具２０に指輪３０を配置して紐状体９を挿通させた斜視を図示し、開口状態の前記装身具用吊り下げ具２０に指輪３０を配して、基部１２と開閉部１４を閉じた状態にすることにより、基部１２及び開閉部１４に設けた挿通環１８と、１８ａは並列となり、紐状体９を挿通環１８と、１８ａに挿通させて指輪３０を下げ飾りペンダントとして用いることができる。
【図面の簡単な説明】
【００２１】
【図１】本考案の請求項１に係わる装身具用吊り下げ具の実施例を示す斜視図である。
【図２】前記装身具用吊り下げ具を開口させた状態を示す斜視図である。
【図３】前記装身具用吊り下げ具に指輪を配置して紐状体を挿通させた実施例を示す斜視図である。
【図４】本考案の請求項２に係わる装身具用吊り下げ具の実施例を示す斜視図である。
【図５】前記装身具用吊り下げ具を開口させた状態を示す斜視図である。
【図６】前記装身具用吊り下げ具に指輪を配置して紐状体を挿通させた実施例を示す斜視図である。
【符号の説明】
【００２２】
１    基部  
３    開閉部
５    蝶番
７    挿通環
７ａ  挿通環
９    紐状体
１０    装身具用吊り下げ具
１２    基部        
１４    開閉部  
１６    蝶番  
１８    挿通環
１８ａ  挿通環
２０    装身具用吊り下げ具
３０    指輪
【図１】
0003112757.tif 000003
【図２】
0003112757.tif 000004
【図３】
0003112757.tif 000005
【図４】
0003112757.tif 000006
【図５】
0003112757.tif 000007
【図６】
0003112757.tif 000008